(57)【要約】【課題】本発明は、複数の信号入力端子の有効／無効を適切に設定して、選択的に信号を取り込む。【解決手段】プロジェクタ装置１は、その信号入力端子制御部４０が、映像入力端子部３の信号が入力される複数の信号入力端子毎に、外部からの有効／無効の設定に応じて、信号入力の有効／無効を映像音声制御部３４で制御し、各信号入力端子に対する映像音声制御部３４による信号入力の有効／無効に対する外部からの設定を有効／無効キー入力部３２ａが受け付ける。そして、信号入力端子制御部４０は、映像音声制御部３４が各信号入力端子からの信号入力の有無を判定し、有効／無効キー入力部３２ａによる信号入力端子毎の外部からの設定に対する受付の許否を、該信号入力端子に関する信号入力の有無の判定結果に基づいて制御する。【選択図】          図３
2014153585.tif 000002
【特許請求の範囲】
【請求項１】
信号が入力される複数の信号入力端子と、
外部からの有効／無効の設定に応じて、前記信号入力端子毎に信号入力の有効／無効を制御する入力信号有効／無効制御手段と、
前記各信号入力端子に対する前記入力信号有効／無効制御手段による信号入力の有効／無効に対する外部からの設定を受け付ける有効／無効設定受付手段と、
前記各信号入力端子からの信号入力の有無を判定する信号有無判定手段と、
前記有効／無効設定受付手段による前記信号入力端子毎の外部からの前記設定に対する受付の許否を、該信号入力端子に関する前記信号有無判定手段の判定結果に基づいて制御する有効／無効設定受付制御手段と、
を備えていることを特徴とする信号入力端子制御装置。
【請求項２】
前記信号入力端子制御装置は、
情報を報知出力する報知手段を、
備え、
前記入力信号有効／無効制御手段は、
前記信号入力端子における信号入力の有効／無効の前記設定に関する情報を、前記報知手段に報知出力させることを特徴とする請求項１記載の信号入力端子制御装置。
【請求項３】
前記信号入力端子制御装置は、
前記信号有無判定手段が信号無しと判定している無信号状態時間を計時する無信号時間計時手段と、
前記有効／無効設定受付手段による無効設定の受付対象となっている前記信号入力端子に対する前記無信号時間計時手段による前記無信号状態時間の計時時間が所定の無効設定時間になると、前記入力信号有効／無効制御手段における該信号入力端子に対する信号入力制御を無効に設定する自動無効設定手段と、
を備えていることを特徴とする請求項１または請求項２記載の信号入力端子制御装置。
【請求項４】
前記信号入力端子制御装置は、
前記信号有無判定手段が信号有りと判定している有信号状態時間を計時する有信号時間計時手段と、
前記有効／無効設定制御手段による信号入力制御が無効に設定されている前記信号入力端子に対する前記有信号時間計時手段による前記有信号状態時間の計時時間が所定の有効設定時間になると、前記入力信号有効／無効制御手段における該信号入力端子に対する信号入力制御を有効に設定する自動有効設定手段と、
を備えていることを特徴とする請求項１から請求項３のいずれかに記載の信号入力端子制御装置。
【請求項５】
前記信号入力端子制御装置は、
前記信号入力端子へ信号を送り込む外部入力端子の該信号入力端子への接続の有無を検出する端子接続検出手段を備え、
前記有効／無効設定受付制御手段は、
前記端子接続検出手段による前記外部入力端子の接続有無検出結果と前記信号有無判定手段による前記判定結果に基づいて、前記有効／無効設定受付手段による前記信号入力端子に対する有効／無効の設定受付の許否を制御することを特徴とする請求項１から請求項４のいずれかに記載の信号入力端子制御装置。
【請求項６】
複数の信号入力端子を備え、該信号入力端子から入力される信号を処理するとともに、該信号入力端子の有効／無効を設定する信号入力端子制御部を備えた画像処理装置であって、
前記信号入力端子制御部として、請求項１から請求項５のいずれかに記載の信号入力端子制御装置を備えていることを特徴とする画像処理装置。
【請求項７】
映像を含む各種信号の入力される複数の信号入力端子を備え、該信号入力端子から入力される信号を処理して映像を投影するとともに、該信号入力端子の有効／無効を設定する信号入力端子制御部を備えたプロジェクタ装置であって、
前記信号入力端子制御部として、請求項１から請求項５のいずれかに記載の信号入力端子制御装置を備えていることを特徴とするプロジェクタ装置。
【請求項８】
信号が入力される複数の信号入力端子毎に、外部からの有効／無効の設定に応じて、信号入力の有効／無効を制御する入力信号有効／無効制御処理ステップと、
前記各信号入力端子に対する前記入力信号有効／無効制御処理ステップによる信号入力の有効／無効に対する外部からの設定を受け付ける有効／無効設定受付処理ステップと、
前記各信号入力端子からの信号入力の有無を判定する信号有無判定処理ステップと、
前記有効／無効設定受付処理ステップによる前記信号入力端子毎の外部からの前記設定に対する受付の許否を、該信号入力端子に関する前記信号有無判定処理ステップでの判定結果に基づいて制御する有効／無効設定受付制御処理ステップと、
を有していることを特徴とする信号入力端子制御方法。
【請求項９】
制御プロセッサに、
信号が入力される複数の信号入力端子毎に、外部からの有効／無効の設定に応じて、信号入力の有効／無効を制御する入力信号有効／無効制御処理と、
前記各信号入力端子に対する前記入力信号有効／無効制御処理による信号入力の有効／無効に対する外部からの設定を受け付ける有効／無効設定受付処理と、
前記各信号入力端子からの信号入力の有無を判定する信号有無判定処理と、
前記有効／無効設定受付処理による前記信号入力端子毎の外部からの前記設定に対する受付の許否を、該信号入力端子に関する前記信号有無判定処理での判定結果に基づいて制御する有効／無効設定受付制御処理と、
を実行させることを特徴とする信号入力端子制御プログラム。
【発明の詳細な説明】
【技術分野】
【０００１】
本発明は、信号入力端子制御装置、画像処理装置、プロジェクタ装置、信号入力端子制御方法及び信号入力端子制御プログラムに関し、詳細には、複数の信号入力端子のうち、有効／無効を適切に設定して、信号を取り込む信号入力端子制御装置、画像処理装置、プロジェクタ装置、信号入力端子制御方法及び信号入力端子制御プログラムに関する。
【背景技術】
【０００２】
プロジェクタ装置、画像形成装置、コンピュータ等の画像処理装置や映像出力装置は、複数の信号入力端子を備え、複数の信号入力端子に接続される信号ケーブルの外部端子から並列的に、または、選択的に信号を取り込んで、取り込んだ信号に種々の信号処理を施している。
【０００３】
例えば、プロジェクタ装置は、コンピュータ等からのＲＧＢ端子、ＨＤＭＩ（High-Definition Multimedia Interface）端子、ビデオ端子等の映像、音声、画像等の信号入力端子を備えており、ユーザは、これらの複数の信号入力端子に、選択的にまたは並列的に映像、音声、画像等を出力する機器からの信号ケーブルの外部端子を接続する。
【０００４】
プロジェクタ装置は、端子に接続された信号ケーブルを通して機器から送られてくる信号に基づいて、映像、画像を投影出力し、また、音声を出力する。
【０００５】
ところが、プロジェクタ装置は、複数の信号入力端子を備えているが、全ての信号入力端子が正常に機能しているとは限らず、信号入力端子が故障等で正常に機能していない異常状態の場合がある。
【０００６】
このような場合、ユーザは、信号入力端子が異常状態であるにもかかわらず、信号が入力されない原因が分からないため、種々の箇所の調査／確認を行う。例えば、ユーザは、接続している信号ケーブルに断線や接触不良があるか否か、接続している外部機器から信号が出力されているか否か等を確認する。その結果、作業性が悪く、作業時間も不必要に長時間を要するという問題があった。このような作業を行って、異常状態の信号入力端子を見つけ出した場合、その信号入力端子に異常である旨を記載したラベルを貼る等の対応をしない限り、ユーザが変るたびに、同じような調査確認作業を行うこととなる。
【０００７】
そして、従来、画像信号が入力される複数の入力端子と、前記複数の入力端子の中から１つの入力端子を選択する入力選択部と、前記入力選択部で選択された入力端子に入力される画像信号に基づいて、画像を表示する画像表示部と、入力操作を受け付ける入力操作部と、前記入力操作部に対する入力操作に基づいて、前記入力選択部に選択させる入力端子を順次切り替える制御部と、前記複数の入力端子のうち、指定された入力端子を無効にする入力端子無効化部と、を備え、前記制御部は、前記複数の入力端子のうち、前記入力端子無効化部で無効とされたものを除く入力端子の中から、１つの入力端子を前記入力選択部に選択させる画像表示装置が提案されている（特許文献１参照）。
【０００８】
すなわち、この従来技術は、複数ある信号入力端子を個別に無効に設定可能とし、無効に設定された信号入力端子を除く信号入力端子の中から、１つの信号入力端子を、画像信号を入力する信号入力端子として選択させている。
【発明の概要】
【発明が解決しようとする課題】
【０００９】
しかしながら、上記公報記載の従来技術にあっては、複数ある信号入力端子を個別に無効に設定可能とし、無効に設定された信号入力端子を除く信号入力端子の中から、１つの信号入力端子を画像信号を入力する信号入力端子として選択させている。したがって、ユーザの設定ミスにより意図しない信号入力端子を無効に設定したり、無効に設定すべき信号入力端子が有効に設定される誤設定を防止することができない。その結果、信号ケーブル、接続機器をも調査確認する作業が必要となり、作業性が悪く、作業時間も長時間かかるという問題があった。
【００１０】
そこで、本発明は、信号入力端子の有効／無効を正確に設定することを目的としている。
【課題を解決するための手段】
【００１１】
上記目的を達成するために、請求項１記載の信号入力端子制御装置は、信号が入力される複数の信号入力端子と、外部からの有効／無効の設定に応じて、前記信号入力端子毎に信号入力の有効／無効を制御する入力信号有効／無効制御手段と、前記各信号入力端子に対する前記入力信号有効／無効制御手段による信号入力の有効／無効に対する外部からの設定を受け付ける有効／無効設定受付手段と、前記各信号入力端子からの信号入力の有無を判定する信号有無判定手段と、前記有効／無効設定受付手段による前記信号入力端子毎の外部からの前記設定に対する受付の許否を、該信号入力端子に関する前記信号有無判定手段の判定結果に基づいて制御する有効／無効設定受付制御手段と、を備えていることを特徴としている。
【発明の効果】
【００１２】
本発明によれば、信号入力端子の有効／無効を正確に設定することができる。
【図面の簡単な説明】
【００１３】
【図１】本発明の一実施例を適用したプロジェクタ装置のブロック構成図。
【図２】映像入力端子部の正面図。
【図３】主制御部及びその周辺のブロック構成図。
【図４】信号入力端子判定処理を示すフローチャート。
【図５】図４の信号入力端子判定処理の続きの処理を示すフローチャート。
【図６】スクリーンへの無信号による無効設定通知画面の一例を示す図。
【図７】無信号時間に基づいて無効制定する信号入力端子判定処理を示すフローチャート。
【図８】図７の信号入力端子判定処理の続きの処理を示すフローチャート。
【図９】自動で有効に戻す信号入力端子判定処理を示すフローチャート。
【図１０】図９の信号入力端子判定処理の続きの処理を示すフローチャート。
【図１１】入力信号有り表示の一例を示す図。
【図１２】判定回数で判定対象の端子を切り替える信号入力端子判定処理を示すフローチャート。
【図１３】図１２の信号端末判定処理の続きの処理を示すフローチャート。
【図１４】有効／無効設定可否判定処理を示すフローチャート。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図１４は、本発明の信号入力端子制御装置、画像処理装置、プロジェクタ装置、信号入力端子制御方法及び信号入力端子制御プログラムの一実施例を示す図であり、図１は、本発明の信号入力端子制御装置、画像処理装置、プロジェクタ装置、信号入力端子制御方法及び信号入力端子制御プログラムの一実施例を適用したプロジェクタ装置１のブロック構成図である。
【００１６】
図１において、プロジェクタ装置１は、主制御部２、映像入力端子部３、映像音声処理部４、音声出力ユニット５、操作制御部６、光学制御部７、光学ユニット８、ランプ駆動部９及びランプ１０等を備えている。
【００１７】
映像入力端子部３は、例えば、図２に示すように、信号入力端子として、コンピュータ用端子Ｔ１、Ｔ２、ＨＤＭＩ端子Ｔ３及びビデオ端子Ｔ４が設けられている。本実施例では、各信号入力端子Ｔ１〜Ｔ４を識別するために、識別子Ｎが付与されていて、コンピュータ用端子Ｔ１に、Ｎ＝１、コンピュータ用端子Ｔ２に、Ｎ＝２、ＨＤＭＩ端子Ｔ３に、Ｎ＝３、ビデオ端子Ｔ４に、Ｎ＝４がそれぞれ割り振られている。
【００１８】
映像入力端子部３には、各信号入力端子Ｔ１〜Ｔ４への信号ケーブル（図示略）の外部端子が接続されているか否かを検出する接続検出スイッチＳＷ１、ＳＷ２、ＳＷ３、ＳＷ４が設けられている。接続検出スイッチ（端子接続検出手段）ＳＷ１〜ＳＷ４は、ＯＮ／ＯＦＦスイッチであり、信号ケーブルの外部端子が未接続の状態では、ＯＦＦとなって、電圧レベルがＬｏｗの検出信号を主制御部２へ出力する。接続検出スイッチＳＷ１〜ＳＷ４は、信号ケーブルの外部端子が接続されている状態では、ＯＮとなって、電圧レベルがＨｉｇｈの検出信号を主制御部２へ出力する。
【００１９】
映像入力端子部３の各信号入力端子Ｔ１〜Ｔ４は、後述するように、有効に設定されていて、かつ、正常であると、接続される信号ケーブルの外部端子から入力される信号（映像信号、音声信号）を映像音声処理部４へ出力する。そして、各信号入力端子Ｔ１〜Ｔ４に接続される外部端子の信号ケーブルは、コンピュータ、映像信号をＨＤＭＩケーブルで出力する映像機器、映像信号を、ビデオケーブルで出力する映像機器等の映像信号出力機器（外部装置）に接続されている。
【００２０】
映像音声処理部４は、映像入力端子部３の各信号入力端子Ｔ１〜T４から入力される映像信号出力機器からの映像信号をＲＧＢのデジタル映像データに変換して、主制御部２に出力する。また、映像音声処理部４は、映像入力端子部３の各信号入力端子Ｔ１〜Ｔ４から入力される映像信号出力機器からの音声信号及び主制御部２から入力される音声信号を、音声データをＤ／Ａ（デジタル／アナログ）変換して、音声出力ユニット５に出力する。
【００２１】
音声出力ユニット５は、増幅器、スピーカ等を備えており、映像音声処理部４から入力されるアナログの音声信号に応じて、音声を拡声出力する。
【００２２】
主制御部２は、ＣＰＵ（Central Processing Unit ）２１、ＲＯＭ（Read Only Memory）２２、ＳＲＡＭ（Static Random Access Memory）２３及びＮＶＲＡＭ（Non-Volatile Random Access Memory）２４等を備えている。
【００２３】
ＲＯＭ２２は、プロジェクタ装置１としての基本プログラム及び本発明の信号入力端子制御プログラム等のプログラム及び必要なシステムデータが格納されている。ＳＲＡＭ２３は、各処理における一時的に記憶する。
【００２４】
ＮＶＲＡＭ２４は、プロジェクタ装置１の電源がオフの場合にも記憶しておくべきデータ、例えば、後述する信号入力端子Ｔ１〜Ｔ４の有効／無効の設定状態等を記憶する。
【００２５】
ＣＰＵ２１は、ＲＯＭ２２内のプログラムに基づいて、ＳＲＡＭ２３をワークメモリとして利用して、プロジェクタ装置１の各部を制御して、プロジェクタ装置１としての基本処理を実行するとともに、本発明の信号入力端子制御方法を実行する。
【００２６】
すなわち、プロジェクタ装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の信号入力端子制御方法を実行する信号入力端子制御プログラムを読み込んでＲＯＭ２２等に導入することで、後述する信号入力端子Ｔ１〜Ｔ４の有効／無効を正確に設定する信号入力端子制御方法を実行する信号入力端子制御装置を搭載した画像処理装置及びプロジェクタ装置として構築されている。この信号入力端子制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２７】
そして、主制御部２は、映像音声処理部４から転送されてくるＲＧＢ映像データを表示するために、ランプ駆動部９及び光学制御部７を制御する。
【００２８】
ランプ駆動部９は、主制御部２とランプ１０に接続され、主制御部２の制御下で、ランプ１０の点灯制御を行う。ランプ１０は、通常のランプの他にＬＥＤ（Light Emitting Diode）、レーザ光源等が用いられ、投影用の映像光を光学ユニット８に出射する。
【００２９】
光学制御部７は、主制御部２と光学ユニット８に接続され、主制御部２の制御下で、光学ユニット８を制御する。
【００３０】
光学ユニット８は、液晶ライトバルブ、カラーホイール（色を選択する際に表示される円形のカラーチャート）、ＤＭＤ（Digital Micromirror Device）等を備えているとともに、映像をスクリーンＳＣに表示するための映像光を反射するミラー、拡大／縮小用のレンズ等を備えている。
【００３１】
光学制御部７は、光学ユニット８の液晶ライトバルブの駆動制御、カラーホイール、ＤＭＤの駆動制御等を行って、ランプ１０からの映像光の透過等を制御して、スクリーンＳＣへ投影する映像光を制御する。
【００３２】
操作制御部６は、図３に示すように、複数のキーを有するキーボード６ａと状態情報等の各種情報を表示する表示部６ｂを備えており、表示部６ｂは、例えば、ＬＥＤが用いられている。キーボード６ａは、プロジェクタ装置１の電源をＯＮ／ＯＦＦする電源キー、各種設定を行うメニューキー、↓キー、↑キー、←キー、→キー、決定キー、入力信号の切り替えを行うインプットキー等が設けられている。
【００３３】
主制御部２は、この操作制御部６及び後述するリモコンＲＣによる各種設定、入力切替時の映像データを、ＯＳＤ（On Screen Display）処理により、スクリーンＳＣ上に形成する。
【００３４】
また、プロジェクタ装置１は、図１及び図３に示すように、リモコンＲＣによって動作を制御することができる。リモコンＲＣは、操作制御部６と同じ機能を有する電源キー、メニューキー、↓キー、↑キー、←キー、→キー、決定キー及び各信号入力端子Ｔ１〜Ｔ４を切り替えるキー、数字入力の０〜９キー等が設けられている。リモコンＲＣは、各キーが操作されると、操作されたキーに対応するコードを、例えば、赤外線によるコードデータとして、操作制御部６へ送信する。操作制御部６は、リモコンＲＣからコードデータを受信すると、受信したコードデータを、主制御部２へ通知する。
【００３５】
そして、上記主制御部２は、図３に示すように機能ブロック構成されており、表示制御部３１、入力キー判断部３２、ＯＳＤ（On Screen Display）処理部３３、映像音声制御部３４及び音声出力制御部３５等を備えている。
【００３６】
表示制御部３１は、映像音声制御部３４の制御下で、操作制御部６のＬＥＤ（Light Emitting Diode）やＬＣＤ（Liquid Crystal Display）が用いられている表示部６ｂの点灯制御を行い、ユーザに各種情報を表示させる。特に、表示制御部３１は、本発明の映像入力端子部３の各信号入力端子Ｔ１〜Ｔ４の有効／無効を正確に設定するのに必要な情報を、表示部６ｂに表示させる。
【００３７】
入力キー検知判断部３２は、操作制御部６のキーボード６ａ及びリモコンＲＣにおけるキー入力を検知し、検知結果をＯＳＤ処理部３３及び映像音声制御部３４に出力する。入力キー検知判断部３２は、有効／無効キー入力部３２ａを備えている。有効／無効キー入力部（有効／無効設定受付手段）３２ａは、キーボード６ａまたはリモコンＲＣの所定のキー操作を、後述する映像音声制御部３４による信号入力の有効／無効に対する設定操作として検知して、検知結果を映像音声制御部３４に出力する。有効／無効キー入力部３２ａは、この有効／無効キーとしては、例えば、キーボード６ａまたはリモコンＲＣによる「１２３」の３つの特定数字キーが連続入力されたことを有効キーが押されたと判断する。また、有効／無効キー入力部３２ａは、キーボード６ａまたはリモコンＲＣによる「４５６」の３つの特定数字キーが連続入力されたことを、無効キーが押されたと判断する。
【００３８】
また、入力キー検知判断部３２及び有効／無効キー入力部３２ａは、リモコンＲＣからの赤外線データの入力によって、上記リモコンＲＣの操作を検知する。
【００３９】
ＯＳＤ処理部３３は、入力キー検知判断部３２から操作制御部６やリモコンＲＣの操作データを受け取って、各種設定内容や入力切替時の映像データをＯＳＤ処理して、映像音声制御部３４に出力し、スクリーンＳＣ上に表示させる。ＯＳＤ処理部３３は、無効表示映像データ形成部３３ａを備えている。無効表示映像データ形成部３３ａは、無効となっている信号入力端子Ｔ１〜Ｔ４が、操作制御部６やリモコンＲＣで選択されたり、該信号入力端子Ｔ１〜Ｔ４に外部入力端子が接続されると、無効表示映像データを形成し、映像音声制御部３４に転送する。この無効表示映像データは、例えば、例えば、「この端子は無効です。使用できません」等である。
【００４０】
映像音声制御部（入力信号有効／無効制御手段、信号有無判定手段）３４は、計時部３４ａ、カウント部３４ｂ及び有効／無効設定可否判断部３４ｃを備えており、プロジェクタ装置１の映像と音声の入出力を制御する。
【００４１】
計時部（無信号時間計時手段、有信号時間計時手段）３４ａは、後述するように、切り替えによって選択した信号入力端子Ｔ１〜Ｔ４からの信号入力が無い時間である無信号時間ｔ１及び選択された信号入力端子Ｔ１〜Ｔ４に入力信号が入力されている有信号時間ｔ２を計測する。
【００４２】
カウント部３４ｂは、プロジェクタ装置１の電源がＯＮされてから選択された信号入力端子Ｔ１〜Ｔ４の切替回数をカウントする。
【００４３】
有効／無効設定可否判断部（有効／無効設定受付制御手段）３４ｃは、選択された信号入力端子Ｔ１〜Ｔ４に入力信号が入力されていると、有効／無効設定否と判断し、入力信号が無いときには、有効／無効設定可と判断する。映像音声制御部３４は、有効／無効設定可否判断部３４ｃが有効／無効設定可と判断した場合に、入力キー検知判断部３２からの有効／無効キーを受け付ける。映像音声制御部３４は、受け付けた有効／無効キーと、ＮＶＲＡＭ２４に格納されている有効／無効判定データＩＮ（Ｎ＝１〜４）に基づいて、ＯＳＤ処理部３３からの無効表示映像データを表示する／しないの制御、ＮＶＲＡＭ２４への有効／無効判定データＩＮ（Ｎ＝１〜４）の格納を行う。ここで、有効／無効判定データＩＮ（Ｎ）は、信号入力端子Ｔ１〜Ｔ４が有効であると、「０」、無効であると、「１」である。
【００４４】
すなわち、映像音声制御部３４は、外部である操作制御部６やリモコンＲＣからの有効／無効の設定に応じて、信号入力端子Ｔ１〜Ｔ４毎に信号入力の有効／無効を制御する入力信号有効／無効制御手段及び各信号入力端子Ｔ１〜Ｔ４からの信号入力の有無を判定する信号有無判定手段として機能している。
【００４５】
音声出力制御部３５は、映像音声制御部３４から入力される音声データを、映像音声処理部４に出力する。
【００４６】
映像入力端子部３は、接続有無検知部（端子接続検出手段）３ａを備えており、この接続有無検知部３ａは、上記接続検出スイッチＳＷ１〜ＳＷ４を総称したものである。接続有無検知部３ａは、上述のように、各信号入力端子Ｔ１〜Ｔ４への信号ケーブルの外部端子が接続されているか否かを接続検出スイッチＳＷ１〜ＳＷ４によって検出して、電圧レベルがＨｉｇｈ（接続状態）とＬｏｗ（未接続状態）に変化する検出信号を主制御部２の映像音声制御部３４へ出力する。
【００４７】
上記主制御部２及び映像入力端子部３は、全体として、信号入力端子制御部（信号入力端子制御装置）４０として機能している。そして、プロジェクタ装置１は、信号入力端子制御部４０を搭載して該信号入力端子制御部４０によって有効／無効の制御される信号入力端子からの信号を処理して映像を投影するプロジェクタ装置となっている。
【００４８】
次に、本実施例の作用を説明する。本実施例のプロジェクタ装置１は、信号入力端子Ｔ１〜Ｔ４の有効／無効を正確に設定する。
【００４９】
すなわち、プロジェクタ装置１は、信号入力端子Ｔ１〜Ｔ４に接続される信号ケーブルの外部端子から入力される映像信号や音声信号を、信号処理して、スクリーンＳＣに映像を投影し、音声出力ユニット５から音声を拡声出力する。
【００５０】
ところが、信号入力端子Ｔ１〜Ｔ４は、故障等で信号の受け渡しを行うことができない無効状態になることがある。
【００５１】
プロジェクタ装置１は、このような無効状態の信号入力端子Ｔ１〜Ｔ４に映像信号や音声信号を入力するケーブルの外部端子が接続されても、映像信号や音声信号が正常に入力されない。
【００５２】
そこで、プロジェクタ装置１は、従来のように、ユーザが、接続している信号ケーブルに断線や接触不良があるか否か、接続機器から信号が出力されているか否か等を確認することなく、信号入力端子Ｔ１〜Ｔ４の有効／無効を正確に設定することを可能としている。
【００５３】
そして、プロジェクタ装置１は、ＮＶＲＡＭ２４に、各信号入力端子Ｔ１〜Ｔ４の有効／無効判定データＩＮ（Ｎ）の初期状態として、有効であることを示す「０」が設定されているが、図４及び図５に示すような、信号入力端子判定処理を行うことで、信号入力端子Ｔ１〜Ｔ４の有効無効を判定して、判定結果をＮＶＲＡＭ２４に登録する。なお、以下の説明において、変数Ｎは、信号入力端子Ｔ１〜Ｔ４のうちどの信号入力端子Ｔ１〜Ｔ４であるかを示し、有効／無効判定データＩＮ（Ｎ）は、Ｎの示す信号入力端子Ｔ１〜Ｔ４の有効／無効判定データが、有効「０」であるか、無効「１」であるかを示している。また、変数Ｍは、信号入力端子数、すなわち、信号入力端子Ｔ１〜Ｔ４の数であり、本実施例の場合、「４」が、予めＮＶＲＡＭ２４に格納されている。
【００５４】
すなわち、図４において、主制御部２は、プロジェクタ装置１の電源がＯＮされて起動されると、信号入力端子判定処理を開始する。プロジェクタ装置１は、信号入力端子判定処理を開始すると、まず、映像音声制御部３４が、ＳＲＡＭ２３に、Ｎ＝１として設定し、変数Ｍに、ＮＶＲＡＭ２４から読み込んだ「４」を設定する（ステップＳ１０１）。次に、映像音声制御部３４は、表示する信号入力端子Ｔ１〜Ｔ４を、「１」を設定したＮ番目の信号入力端子Ｔ１〜Ｔ４に切り替える（ステップＳ１０２）。
【００５５】
映像音声制御部３４は、有効／無効判定データＩＮ（Ｎ）が、「１」であるかチェックし（ステップＳ１０３）、「０」（ステップＳ１０３で、ＮＯ）であと、該信号入力端子Ｔ１〜Ｔ４からの映像表示データをランプ駆動部９、光学制御部７を制御して光学ユニット８からスクリーンＳＣに表示する（ステップＳ１０４）。
【００５６】
映像音声制御部３４は、ステップＳ１０３で、有効／無効判定データＩＮ（Ｎ）が、「１」であると（ステップＳ１０３で、ＹＥＳであると）、該信号入力端子Ｔ１〜Ｔ４が無効に設定されているので、入力信号をＯＦＦする（ステップＳ１０５）。映像音声制御部３４は、その後、該信号入力端子Ｔ１〜Ｔ４からの映像表示データを無信号でランプ駆動部９、光学制御部７を制御して光学ユニット８からスクリーンＳＣに表示する（ステップＳ１０４）。
【００５７】
映像音声制御部３４は、映像を表示させると、選択された信号入力端子Ｔ１〜Ｔ４の入力信号が有るか無いか、すなわち、信号入力端子Ｔ１〜Ｔ４の有効／無効の設定が可能であるか否か（有効／無効設定可であるか否か）を判定する（ステップＳ１０６）。
【００５８】
ステップＳ１０６で、入力信号が有ると、映像音声制御部３４は、信号入力端子Ｔ１〜Ｔ４の故障ではなく有効／無効設定否と判断（ステップＳ１０６で、ＹＥＳと判断）して、ユーザによるインプットキー入力を待つ（ステップＳ１０７）。
【００５９】
ステップＳ１０７で、インプットキーが入力されないとき（ステップＳ１０７で、ＮＯのとき）には、映像音声制御部３４は、ステップＳ１０３に戻って、上記同様の処理を行う（ステップＳ１０３〜ステップＳ１０７）。
【００６０】
ステップＳ１０７で、インプットキーが入力されると（ステップＳ１０７で、ＹＥＳのとき）、映像音声制御部３４は、変数Ｎを「１」だけインクリメントする（Ｎ＝Ｎ＋１）（ステップＳ１０８）。映像音声制御部３４は、変数Ｎをインクリメントすると、変数Ｎが変数Ｍになったか、すなわち、信号入力端子Ｔ１〜Ｔ４の数Ｍに到達したかチェックする（ステップＳ１０９）。
【００６１】
ステップＳ１０９で、変数Ｎが変数Ｍに到達していないとき（ステップＳ１０９で、ＮＯのとき）には、映像音声制御部３４は、ステップＳ１０２に戻って、表示する信号入力端子Ｔ１〜Ｔ４を、該Ｎ番目の信号入力端子Ｔ１〜Ｔ４に切り替える処理から上記同様に処理する（ステップＳ１０２〜Ｓ１０９、Ｓ２０１）。
【００６２】
ステップＳ１０９で、変数Ｎが変数Ｍに到達していると（ステップＳ１０９で、ＹＥＳのとき）、映像音声制御部３４は、一連の信号入力端子判定処理を終了し、必要に応じて、同様の信号入力端子判定処理を行う。
【００６３】
ステップＳ１０６で、入力信号が無いときには、映像音声制御部３４は、ＮＶＲＡＭ２４に格納されている現在の該信号入力端子Ｔ１〜Ｔ４の状態である有効／無効判定データＩＮ（Ｎ）を読み取り、「１」であるか判定する（ステップＳ１１０）。
【００６４】
ステップＳ１１０で、有効／無効判定データＩＮ（Ｎ）が「０」のとき（ステップＳ１１０で、ＮＯのとき）には、映像音声制御部３４は、無効に設定されていないので、ユーザによって有効／無効キーが入力されたかチェックする（ステップＳ１１１）。映像音声制御部３４は、この有効／無効キーが入力されたか否かを、有効／無効キー入力部３２ａからの通知によって判断する。
【００６５】
ステップＳ１１１で、所定時間内に、有効／無効キーが入力されないとき（ステップＳ１１１で、ＮＯのとき）には、映像音声制御部３４は、ステップＳ１０７に移行して、インプットキーが入力されたかのチェックから上記同様に処理する（ステップＳ１０７〜Ｓ１０９、Ｓ１０１〜Ｓ１１１）。
【００６６】
ステップＳ１１１で、有効／無効キーが入力されると（ステップＳ１１１で、ＹＥＳのとき）、映像音声制御部３４は、該信号入力端子Ｔ１〜Ｔ４の現在の有効／無効判定データＩＮ（Ｎ）が有効であるので、無効に設定にするために、ＮＶＲＡＭ２４の有効／無効判定データＩＮ（Ｎ）に、「１」を設定して格納する（ステップＳ１１２）。
【００６７】
次に、映像音声制御部３４は、該信号入力端子Ｔ１〜Ｔ４を無効に設定した旨をＯＳＤ処理部３３に通知する。ＯＳＤ処理部３３は、信号入力端子Ｔ１〜Ｔ４を無効にした旨の通知があると、無効表示映像データ形成部３３ａに該信号入力端子Ｔ１〜Ｔ４が無効である旨の無効表示映像データを映像音声制御部３４へ出力させる。
【００６８】
映像音声制御部３４は、無効表示映像データが入力されると、スクリーンＳＣへ無効表示映像データを表示する無効表示を行う（ステップＳ１１３）。この無効表示映像データは、例えば、「この入力は故障しています。使用できません。」等である。この無効表示は、例えば、図６に示すように、信号入力端子Ｔ１〜Ｔ４を特定する情報、無効に設定した理由、無効を解消するための措置及び次の信号入力端子判定処理を行う信号入力端子Ｔ１〜Ｔ４を選択する方法の各情報を表示している。
【００６９】
映像音声制御部３４は、無効表示を表示すると、ステップＳ１０７に移行して、インプットキーが入力されたかのチェックから上記同様に処理する（ステップＳ１０７〜Ｓ１０９、Ｓ１０１〜Ｓ１１３）。
【００７０】
ステップＳ１１０で、有効／無効判定データＩＮ（Ｎ）が「１」のときには、ＮＶＲＡＭ２４の有効／無効判定データＩＮ（Ｎ）が既に無効に設定されているので、映像音声制御部３４は、該信号入力端子Ｔ１〜Ｔ４の現在の有効／無効判定データＩＮ（Ｎ）が無効に設定されている旨をＯＳＤ処理部３３に通知する。ＯＳＤ処理部３３は、信号入力端子Ｔ１〜Ｔ４が無効である旨の通知があると、無効表示映像データ形成部３３ａに該信号入力端子Ｔ１〜Ｔ４が無効である旨の無効表示映像データを映像音声制御部３４へ出力させる。映像音声制御部３４は、無効表示映像データが入力されると、スクリーンＳＣへ無効表示映像データを表示する無効表示を行う（ステップＳ１１４）。この無効表示映像データは、上記同様に、例えば、「この入力は故障しています。使用できません。」等である。
【００７１】
映像音声制御部３４は、無効表示を行うと、有効／無効キーが入力されたかチェックする（ステップＳ１１５）。
【００７２】
ステップＳ１１５で、有効／無効キーが入力されないとき（ステップＳ１１５で、ＮＯのとき）には、映像音声制御部３４は、該信号入力端子Ｔ１〜Ｔ４の故障等が解消されていないと判断して、そのまま図４のステップＳ１０７に移行して、上記同様の処理を行う（ステップＳ１０７〜Ｓ１０９、Ｓ１０１〜Ｓ１１５）。
【００７３】
ステップＳ１１５で、有効／無効キーが入力されると（ステップＳ１１５で、ＹＥＳのとき）、映像音声制御部３４は、該信号入力端子Ｔ１〜Ｔ４の故障等が解消されたと判断して、ＮＶＲＡＭ２４の有効／無効判定データＩＮ（Ｎ）に、「０」を設定して格納する（ステップＳ１１６）。
【００７４】
映像音声制御部３４は、有効／無効判定データＩＮ（Ｎ）に「０」を設定すると、無効表示を解除して（ステップＳ１１７）、図４のステップＳ１０７に戻って、インプットキーが入力されたかのチェックから上記同様に処理する（ステップＳ１０７〜Ｓ１０９、Ｓ１０１〜Ｓ１１７）。
【００７５】
なお、上記説明においては、信号入力端子Ｔ１〜Ｔ４が無信号であるときに、有効／無効キーが操作されることを条件として、その信号入力端子Ｔ１〜Ｔ４の信号入力を無効に設定している。信号入力端子Ｔ１〜Ｔ４の信号入力を無効に設定する方法としては、上記方法に限るものではない。例えば、図７及び図８に示すように、判定対象の信号入力端子Ｔ１〜Ｔ４の判定を開始した時からの経過時間（無信号継続時間）を計時して予め設定されている閾値時間ｔ１の間無信号状態が経過すると、自動的に無効設定するようにしてもよい。なお、図７及び図８において、図４及び図５と同様の処理ステップには、同一のステップナンバを付与して、その説明を簡略化する。
【００７６】
すなわち、図７に示すように、主制御部２は、プロジェクタ装置１が起動されて信号入力端子判定処理を開始すると、まず、映像音声制御部３４が、ＳＲＡＭ２３に、Ｎ＝１として設定し、変数Ｍに、ＮＶＲＡＭ２４から読み込んだ「４」を設定する（ステップＳ１０１）。次に、映像音声制御部３４は、表示する信号入力端子Ｔ１〜Ｔ４を、「１」に設定したＮ番目の信号入力端子Ｔ１〜Ｔ４に切り替える（ステップＳ１０２）。
【００７７】
映像音声制御部３４は、計時部３４ａのＴＩＭＥＲ１（Ｎ）をクリアした後、計時を開始させる（ステップＳ２０１）。このＴＩＭＥＲ１（Ｎ）は、Ｎ番目の信号入力端子Ｔ１〜Ｔ４に切り替えてから当該信号入力端子Ｔ１〜Ｔ４に入力信号が無く、無効設定されていない閾値時間ｔ１を計時するタイマである。
【００７８】
映像音声制御部３４は、ＴＩＭＥ１Ｒ（Ｎ）をスタートさせると、有効／無効判定データＩＮ（Ｎ）が、「１」であるかチェックする（ステップＳ１０３）。
【００７９】
ステップＳ１０３で、有効／無効判定データＩＮ（Ｎ）が、「０」であると、映像音声制御部３４は、該信号入力端子Ｔ１〜Ｔ４からの映像表示データをランプ駆動部９、光学制御部７を制御して光学ユニット８からスクリーンＳＣに表示する（ステップＳ１０４）。
【００８０】
映像音声制御部３４は、ステップＳ１０３で、有効／無効判定データＩＮ（Ｎ）が、「１」であると、入力信号をＯＦＦにし（ステップＳ１０５）、該信号入力端子Ｔ１〜Ｔ４からの映像表示データを無信号でランプ駆動部９、光学制御部７を制御して光学ユニット８からスクリーンＳＣに表示する（ステップＳ１０４）。
【００８１】
映像音声制御部３４は、映像を表示させると、選択された信号入力端子Ｔ１〜Ｔ４の入力信号が有るか否か（有効／無効設定可であるか否か）を判定する（ステップＳ１０６）。
【００８２】
ステップＳ１０６で、入力信号が有ると、映像音声制御部３４は、信号入力端子Ｔ１〜Ｔ４の有効／無効設定否と判断して、ユーザによるインプットキー入力を待つ（ステップＳ１０７）。
【００８３】
ステップＳ１０７で、インプットキーが入力されないときには、映像音声制御部３４は、ステップＳ１０３に戻って、上記同様の処理を行う（ステップＳ１０３〜ステップＳ１０７）。
【００８４】
ステップＳ１０７で、インプットキーが入力されると、映像音声制御部３４は、変数Ｎを「１」だけインクリメントし（Ｎ＝Ｎ＋１）（ステップＳ１０８）、変数Ｎが変数Ｍになったかチェックする（ステップＳ１０９）。
【００８５】
ステップＳ１０９で、変数Ｎが変数Ｍに到達していないときには、映像音声制御部３４は、ステップＳ１０２に戻って、表示する信号入力端子Ｔ１〜Ｔ４を、次のＮ番目の信号入力端子Ｔ１〜Ｔ４に切り替える処理から上記同様に処理する（ステップＳ１０２〜Ｓ１０９）。
【００８６】
ステップＳ１０９で、変数Ｎが変数Ｍに到達していると、映像音声制御部３４は、一連の信号入力端子判定処理を終了し、必要に応じて、ステップＳ１０１に戻って同様の信号入力端子判定処理を行う。
【００８７】
ステップＳ１０６で、入力信号が無いときには、映像音声制御部３４は、ＮＶＲＡＭ２４に格納されている現在の該信号入力端子Ｔ１〜Ｔ４の状態である有効／無効判定データＩＮ（Ｎ）を読み取り、「１」であるか判定する（ステップＳ１１０）。
【００８８】
ステップＳ１１０で、有効／無効判定データＩＮ（Ｎ）が「０」のときには、該信号入力端子Ｔ１〜Ｔ４は無効に設定されていないので、映像音声制御部３４は、上記ＴＩＭＥＲ１（Ｎ）が閾値時間ｔ１を計時したかチェックする（ステップＳ２０２）。
【００８９】
映像音声制御部３４は、ステップＳ２０２で、ＴＩＭＥＲ１（Ｎ）が閾値時間ｔ１になっていないとき（ステップＳ２０２で、ＮＯのとき）には、ユーザによって有効／無効キーが入力されたかチェックする（ステップＳ１１１）。
【００９０】
ステップＳ１１１で、有効／無効キーが入力されないときには、映像音声制御部３４は、ステップＳ１０７に移行して、インプットキーが入力されたかのチェックから上記同様に処理する（ステップＳ１０７〜Ｓ１０９、Ｓ１０１〜Ｓ１１１、Ｓ２０１、Ｓ２０２、）。
【００９１】
ステップＳ２０２で、ＴＩＭＥＲ１（Ｎ）が閾値時間ｔ１を計時すると（ステップＳ２０２で、ＹＥＳのとき）、映像音声制御部３４は、有効／無効キーの操作を確認することなく、該信号入力端子Ｔ１〜Ｔ４の現在の有効／無効判定データＩＮ（Ｎ）が有効であるので、無効に設定にするために、ＮＶＲＡＭ２４の有効／無効判定データＩＮ（Ｎ）に、「１」を設定して格納する（ステップＳ１１２）。
【００９２】
次に、映像音声制御部３４は、上述のようにして、スクリーンＳＣへ無効表示映像データを表示する無効表示を行い（ステップＳ１１３）、ステップＳ１０７に移行する。
【００９３】
ステップＳ１１１で、有効／無効キーが入力されると、映像音声制御部３４は、該信号入力端子Ｔ１〜Ｔ４の現在の有効／無効判定データＩＮ（Ｎ）が有効であるので、ＮＶＲＡＭ２４の有効／無効判定データＩＮ（Ｎ）に、無効「１」を設定して格納する（ステップＳ１１２）。
【００９４】
次に、映像音声制御部３４は、上述のようにして、スクリーンＳＣへ無効表示映像データを表示する無効表示を行い（ステップＳ１１３）、ステップＳ１０７に移行する。
【００９５】
ステップＳ１１０で、有効／無効判定データＩＮ（Ｎ）が「１」のときには、該信号入力端子Ｔ１〜Ｔ４が既に無効に設定されているので、映像音声制御部３４は、図８に示すように、スクリーンＳＣへの無効表示を行う（ステップＳ１１４）。
【００９６】
映像音声制御部３４は、無効表示を行うと、有効／無効キーが入力されたかチェックする（ステップＳ１１５）。
【００９７】
ステップＳ１１５で、有効／無効キーが入力されないときには、映像音声制御部３４は、故障等が解消されていないと判断して、そのまま図７のステップＳ１０７に移行して、上記同様の処理を行う（ステップＳ１０７〜Ｓ１０９、Ｓ１０１〜Ｓ１１５、Ｓ２０１、Ｓ２０２）。
【００９８】
ステップＳ１１５で、有効／無効キーが入力されると、映像音声制御部３４は、該信号入力端子Ｔ１〜Ｔ４の故障等が解消されたと判断して、ＮＶＲＡＭ２４の有効／無効判定データＩＮ（Ｎ）に、「０」を設定して格納する（ステップＳ１１６）。
【００９９】
映像音声制御部３４は、有効／無効判定データＩＮ（Ｎ）に「０」を設定すると、無効表示を解除して（ステップＳ１１７）、図７のステップＳ１０７に戻って、インプットキーが入力されたかのチェックから上記同様に処理する（ステップＳ１０７〜Ｓ１０９、Ｓ１０１〜Ｓ１１７、Ｓ２０１、Ｓ２０２）。
【０１００】
さらに、上記各説明では、無効に設定されている信号入力端子Ｔ１〜Ｔ４に信号が回復しても、有効／無効キーで有効「０」に設定されるまでは、無効の状態であるが、図９〜図１１に示すように、自動で有効に設定してもよい。なお、図９及び図１０は、上記図７及び図８の場合に適用したものであり、図７及び図８と同様の処理ステップには、同一のステップナンバを付与して、その説明を簡略化する。
【０１０１】
すなわち、図９に示すように、主制御部２は、プロジェクタ装置１が起動されて信号入力端子判定処理を開始すると、まず、映像音声制御部３４が、ＳＲＡＭ２３に、Ｎ＝１として設定し、変数Ｍに、ＮＶＲＡＭ２４から読み込んだ「４」を設定する（ステップＳ１０１）。次に、映像音声制御部３４は、表示する信号入力端子Ｔ１〜Ｔ４を、Ｎ番目の信号入力端子Ｔ１〜Ｔ４に切り替える（ステップＳ１０２）。
【０１０２】
映像音声制御部３４は、計時部３４ａのＴＩＭＥＲ１（Ｎ）をクリアした後、計時を開始させる（ステップＳ２０１）。また、映像音声制御部３４は、計時部３４ａのＴＩＭＥＲ２（Ｎ）をクリアした後、計時を開始させる（ステップＳ３０１）。このＴＩＭＥＲ２（Ｎ）は、Ｎ番目の無効の信号入力端子Ｔ１〜Ｔ４に切り替えてから当該信号入力端子Ｔ１〜Ｔ４に入力信号が入力されてからの経過時間である閾値時間ｔ２を計時するタイマである。
【０１０３】
映像音声制御部３４は、ＴＩＭＥ１Ｒ（Ｎ）及びＴＩＭＥＲ２をスタートさせると、有効／無効判定データＩＮ（Ｎ）が、「１」であるかチェックする（ステップＳ１０３）。
【０１０４】
ステップＳ１０３で、有効／無効判定データＩＮ（Ｎ）が、「０」であると、映像音声制御部３４は、上述のように、該信号入力端子Ｔ１〜Ｔ４からの映像表示データをスクリーンＳＣに表示する（ステップＳ１０４）。
【０１０５】
映像音声制御部３４は、ステップＳ１０３で、有効／無効判定データＩＮ（Ｎ）が、「１」であると、入力信号をＯＦＦにし（ステップＳ１０５）、該信号入力端子Ｔ１〜Ｔ４からの映像表示データをスクリーンＳＣに表示する（ステップＳ１０４）。
【０１０６】
映像音声制御部３４は、映像を表示させると、選択された信号入力端子Ｔ１〜Ｔ４の入力信号が有るか否か（有効／無効設定可であるか否か）を判定する（ステップＳ１０６）。
【０１０７】
ステップＳ１０６で、入力信号が有ると、映像音声制御部３４は、ユーザがインプットキーを入力したかチェックし（ステップＳ１０７）、インプットキーが入力されないと、ステップＳ１０３に戻って、上記同様の処理を行う（ステップＳ１０３〜ステップＳ１０７）。
【０１０８】
ステップＳ１０７で、インプットキーが入力されると、映像音声制御部３４は、変数Ｎを「１」だけインクリメントし（Ｎ＝Ｎ＋１）（ステップＳ１０８）、変数Ｎが変数Ｍになったかチェックする（ステップＳ１０９）。
【０１０９】
ステップＳ１０９で、変数Ｎが変数Ｍに到達していないときには、映像音声制御部３４は、ステップＳ１０２に戻って、表示する信号入力端子Ｔ１〜Ｔ４を、次のＮ番目の信号入力端子Ｔ１〜Ｔ４に切り替える処理から上記同様に処理する（ステップＳ１０２〜Ｓ１０９、Ｓ２０１、Ｓ３０１）。
【０１１０】
ステップＳ１０９で、変数Ｎが変数Ｍに到達していると、映像音声制御部３４は、一連の信号入力端子判定処理を終了し、必要に応じて、同様の信号入力端子判定処理を行う。
【０１１１】
ステップＳ１０６で、入力信号が無いときには、映像音声制御部３４は、ＮＶＲＡＭ２４に格納されている現在の該信号入力端子Ｔ１〜Ｔ４の状態である有効／無効判定データＩＮ（Ｎ）を読み取り、「１」であるか判定する（ステップＳ１１０）。
【０１１２】
ステップＳ１１０で、有効／無効判定データＩＮ（Ｎ）が「０」のときには、該信号入力端子Ｔ１〜Ｔ４は無効に設定されていないので、映像音声制御部３４は、上記ＴＩＭＥＲ１（Ｎ）が閾値時間ｔ１を計時したかチェックする（ステップＳ２０２）。
【０１１３】
ステップＳ２０２で、ＴＩＭＥＲ１（Ｎ）が閾値時間ｔ１になっていないときには、映像音声制御部３４は、ユーザによって有効／無効キーが入力されたかチェックする（ステップＳ１１１）。
【０１１４】
ステップＳ１１１で、有効／無効キーが入力されないときには、映像音声制御部３４は、ステップＳ１０７に移行して、上記同様に処理する（ステップＳ１０７〜Ｓ１０９、Ｓ１０１〜Ｓ１１１、Ｓ２０１、Ｓ２０２、Ｓ３０１）。
【０１１５】
ステップＳ１１１で、有効／無効キーが入力されると、映像音声制御部３４は、該信号入力端子Ｔ１〜Ｔ４の現在の有効／無効判定データＩＮ（Ｎ）が有効であるので、ＮＶＲＡＭ２４の有効／無効判定データＩＮ（Ｎ）に、無効「１」を設定して格納する（ステップＳ１１２）。
【０１１６】
次に、映像音声制御部３４は、上述のようにして、スクリーンＳＣへ無効表示映像データを表示する無効表示を行い（ステップＳ１１３）、ステップＳ１０７に移行する。
【０１１７】
ステップＳ２０２で、ＴＩＭＥＲ１（Ｎ）が閾値時間ｔ１を計時すると、映像音声制御部３４は、有効／無効キーの操作を確認することなく、ＮＶＲＡＭ２４の有効／無効判定データＩＮ（Ｎ）に、「１」を設定して格納する（ステップＳ１１２）。
【０１１８】
次に、映像音声制御部３４は、上述のようにして、スクリーンＳＣへ無効表示映像データを表示する無効表示を行い（ステップＳ１１３）、ステップＳ１０７に移行する。
【０１１９】
ステップＳ１１０で、有効／無効判定データＩＮ（Ｎ）が「１」のときには、該信号入力端子Ｔ１〜Ｔ４が既に無効に設定されているので、映像音声制御部３４は、図１０に示すように、スクリーンＳＣへの無効表示を行う（ステップＳ１１４）。
【０１２０】
映像音声制御部３４は、無効表示を行うと、入力信号ＯＦＦを解除し（ステップＳ３０２）、判定中の信号入力端子Ｔ１〜Ｔ４から入力信号が有るかチェックする（ステップＳ３０３）。
【０１２１】
ステップＳ３０３で、入力信号が無いときには、映像音声制御部３４は、有効／無効キーが入力されたかチェックする（ステップＳ１１５）。
【０１２２】
ステップＳ１１５で、有効／無効キーが入力されないときには、映像音声制御部３４は、故障等が解消されていないと判断して、そのまま図９のステップＳ１０７に移行して、上記同様の処理を行う（ステップＳ１０７〜Ｓ１０９、Ｓ１０１〜Ｓ１１５、Ｓ２０１、Ｓ２０２、Ｓ３０１〜Ｓ３０３）。
【０１２３】
ステップＳ１１５で、有効／無効キーが入力されると、映像音声制御部３４は、該信号入力端子Ｔ１〜Ｔ４の故障等が解消されたと判断して、ＮＶＲＡＭ２４の有効／無効判定データＩＮ（Ｎ）に、「０」を設定して格納する（ステップＳ１１６）。
【０１２４】
映像音声制御部３４は、有効／無効判定データＩＮ（Ｎ）に「０」を設定すると、無効表示を解除して（ステップＳ１１７）、図９のステップＳ１０７に戻って、インプットキーが入力されたかのチェックから上記同様に処理する（ステップＳ１０７〜Ｓ１０９、Ｓ１０１〜Ｓ１１７、Ｓ２０１、Ｓ２０２、Ｓ３０１〜Ｓ３０３）。
【０１２５】
ステップＳ３０３で、入力信号が有るときには、映像音声制御部３４は、信号入力端子Ｔ１〜Ｔ４に入力信号が有る旨の表示映像データをスクリーンＳＣへ表示する入力信号有り表示を行う（ステップＳ３０４）。この入力信号有り表示は、例えば、図１１に示すように、判定対象の信号入力端子Ｔ１〜Ｔ４が無効に設定されている旨、入力信号が確認されている旨、その後有効にされる旨、強制的に有効にする場合は有効／無効キーを操作する旨、そして、次の信号入力端子Ｔ１〜Ｔ４の判定に映るには、インプットの操作を促す旨の表示である。
【０１２６】
映像音声制御部３４は、入力信号有り表示を行うと、上記ＴＩＭＥＲ２（Ｎ）が閾値時間ｔ２を計時したかチェックする（ステップＳ３０５）。
【０１２７】
ステップＳ３０５で、ＴＩＭＥ２（Ｎ）が閾値時間ｔ２になっていないとき（ステップＳ３０５で、ＮＯのとき）には、映像音声制御部３４は、そのまま図９のステップＳ１０７に移行して、上記同様の処理を行う（ステップＳ１０７〜Ｓ１０９、Ｓ１０１〜Ｓ１１５、Ｓ２０１、Ｓ２０２、Ｓ３０１〜Ｓ３０５）。
【０１２８】
ステップＳ１１５で、有効／無効キーが入力されると、映像音声制御部３４は、該信号入力端子Ｔ１〜Ｔ４の故障等が解消されたと判断して、ＮＶＲＡＭ２４の有効／無効判定データＩＮ（Ｎ）に、「０」を設定して格納する（ステップＳ１１６）。
【０１２９】
映像音声制御部３４は、有効／無効判定データＩＮ（Ｎ）に「０」を設定すると、無効表示を解除して（ステップＳ１１７）、図９のステップＳ１０７に戻って、インプットキーが入力されたかのチェックから上記同様に処理する（ステップＳ１０７〜Ｓ１０９、Ｓ１０１〜Ｓ１１７、Ｓ２０１、Ｓ２０２、Ｓ３０１〜Ｓ３０５）。
【０１３０】
そして、ステップＳ３０５で、ＴＩＭＥ２（Ｎ）が閾値時間ｔ２に到達すると（ステップＳ３０５で、ＹＥＳのとき）、映像音声制御部３４は、有効／無効キーが操作されるのを待つことなく、ＮＶＲＡＭ２４の有効／無効判定データＩＮ（Ｎ）に、「０」を設定して格納する（ステップＳ１１６）。
【０１３１】
映像音声制御部３４は、有効／無効判定データＩＮ（Ｎ）に「０」を設定すると、無効表示を解除して（ステップＳ１１７）、図９のステップＳ１０７に戻って、インプットキーが入力されたかのチェックから上記同様に処理する（ステップＳ１０７〜Ｓ１０９、Ｓ１０１〜Ｓ１１７、Ｓ２０１、Ｓ２０２、Ｓ３０１〜Ｓ３０５）。
【０１３２】
また、上記各説明では、信号入力端子Ｔ１〜Ｔ４の判定対象として選択された回数を問題とすることなく、インプットキーが操作されることを条件として、次の信号入力端子Ｔ１〜Ｔ４の有効／無効の判定を行っている。無効状態の信号入力端子Ｔ１〜Ｔ４の判定を、１２及び図１３に示すように、判定回数に基づいて切り替えて、有効／無効判定を行ってもよい。なお、図１２及び図１３は、上記図９及び図１０の場合に適用したものであり、図９及び図１０と同様の処理ステップには、同一のステップナンバを付与して、その説明を簡略化する。
【０１３３】
すなわち、図１２に示すように、主制御部２は、プロジェクタ装置１が起動されて信号入力端子判定処理を開始すると、まず、映像音声制御部３４が、カウンタのカウント値ＣＮＴを「１」に設定する（ステップＳ４０１）。このカウンタは、無効状態に設定されている信号入力端子Ｔ１〜Ｔ４の判定処理を行う閾値回数ＣＮＴ＿ＭＡＸをカウントするカウンタであり、閾値回数ＣＮＴ＿ＭＡＸは、予め信号入力端子Ｔ１〜Ｔ４毎にＮＶＲＡＭ２４に格納されている。
【０１３４】
次に、映像音声制御部３４は、ＳＲＡＭ２３に、Ｎ＝１として設定し、変数Ｍに、ＮＶＲＡＭ２４から読み込んだ「４」を設定する（ステップＳ１０１）。
【０１３５】
映像音声制御部３４は、表示する信号入力端子Ｔ１〜Ｔ４を、Ｎ番目の信号入力端子Ｔ１〜Ｔ４に切り替える（ステップＳ１０２）。
【０１３６】
映像音声制御部３４は、計時部３４ａのＴＩＭＥＲ１（Ｎ）をクリアした後、計時を開始させる（ステップＳ２０１）。また、映像音声制御部３４は、計時部３４ａのＴＩＭＥＲ２（Ｎ）をクリアした後、計時を開始させる（ステップＳ３０１）。
【０１３７】
映像音声制御部３４は、ＴＩＭＥ１Ｒ（Ｎ）及びＴＩＭＥＲ２をスタートさせると、有効／無効判定データＩＮ（Ｎ）が、「１」であるかチェックする（ステップＳ１０３）。
【０１３８】
ステップＳ１０３で、有効／無効判定データＩＮ（Ｎ）が、「０」であると、映像音声制御部３４は、上述のように、該信号入力端子Ｔ１〜Ｔ４からの映像表示データをスクリーンＳＣに表示する（ステップＳ１０４）。
【０１３９】
映像音声制御部３４は、ステップＳ１０３で、有効／無効判定データＩＮ（Ｎ）が、「１」であると、カウンタのカウント値ＣＮＴが、予め設定されてＮＶＲＡＭ２４に格納されている閾値回数ＣＮＴ＿ＭＡＸになったかチェックする（ステップＳ４０２）。
【０１４０】
ステップＳ４０２で、カウント値ＣＮＴが閾値回数ＣＮＴ＿ＭＡＸに達していないときには、入力信号をＯＦＦにし（ステップＳ１０５）、該信号入力端子Ｔ１〜Ｔ４からの映像表示データをスクリーンＳＣに表示する（ステップＳ１０４）。
【０１４１】
映像音声制御部３４は、映像を表示させると、以降、図１２及び図１３に示すように、図９及び図１０の場合と同様の端子判定処理を行なう（ステップＳ１０６〜Ｓ１１７、Ｓ２０２、Ｓ３０２〜Ｓ３０５）。
【０１４２】
そして、ステップＳ１０９で、変数Ｎが変数Ｍに到達していると、映像音声制御部３４は、カウンタのカウント値ＣＮＴを「１」だけインクリメント（ＣＴＮ＝ＣＴＮ＋１）する（ステップＳ４０３）。映像音声制御部３４は、ステップＳ１０１に戻って、ＳＲＡＭ２３に、Ｎ＝１として設定し、変数Ｍに、ＮＶＲＡＭ２４から読み込んだ「４」を設定する処理から上記同様に処理する。
【０１４３】
ステップＳ４０２で、カウンタのカウント値ＣＮＴが閾値回数ＣＮＴ＿ＭＡＸになると（ステップＳ４０２で、ＹＥＳのとき）、映像音声制御部３４は、判定処理を飛ばして、ステップＳ１０８に移行して、変数Ｎを「１」だけインクリメント（Ｎ＝Ｎ＋１）する処理から上記同様に処理する。
【０１４４】
そして、映像音声制御部３４は、上記各信号入力端子判定処理における有効／無効設定可否判定処理（ステップＳ１０６）を、図１４に示すように、接続有無検知部３ａによる各接続検出スイッチＳＷ１〜ＳＷ４の外部端子の検出結果と、該接続検出スイッチＳＷ１〜ＳＷ４に対応する信号入力端子Ｔ１〜Ｔ４からの信号の有無に基づいて行う。
【０１４５】
すなわち、映像音声制御部３４は、その有効／無効設定可否判断部３４ｃが、図１４に示すように、まず、各接続検出スイッチＳＷ１〜ＳＷ４の検出結果に基づいて、信号ケーブルの外部端子が、判定対象の信号入力端子Ｔ１〜Ｔ４に接続されているかチェックする（ステップＳ５０１）。
【０１４６】
ステップＳ５０１で、信号ケーブルの外部端子が接続されていないとき（ステップＳ５０１で、ＮＯのとき）には、有効／無効設定可否判断部３４ｃは、有効／無効を判定することができないため、有効／無効設定否と判定して処理を終了する（ステップＳ５０２）。
【０１４７】
ステップＳ５０１で、信号ケーブルの外部端子が接続されているとき（ステップＳ５０１で、ＹＥＳのとき）には、有効／無効設定可否判断部３４ｃは、該信号入力端子Ｔ１〜Ｔ４からの入力信号が有るかチェックする（ステップＳ５０３）。
【０１４８】
ステップＳ５０３で、該信号入力端子Ｔ１〜Ｔ４からの入力信号が有るときには、有効／無効設定可否判断部３４ｃは、その信号入力端子Ｔ１〜Ｔ４は有効であるため、無効に設定することができないので、有効／無効設定否と判定して処理を終了する（ステップＳ５０２）。
【０１４９】
ステップＳ５０３で、該信号入力端子Ｔ１〜Ｔ４からの入力信号が無いときには、有効／無効設定可否判断部３４ｃは、その信号入力端子Ｔ１〜Ｔ４が故障等であるため、無効に設定する必要があるので、有効／無効設定可と判定して処理を終了する（ステップＳ５０４）。
【０１５０】
なお、上記説明においては、プロジェクタ装置１に適用した場合について説明したが、プロジェクタ装置１に限るものではなく、外部から映像信号等の信号が入力される複数の信号入力端子の有効／無効を設定する信号入力端子制御装置及び該信号入力端子制御装置を搭載する画像処理装置一般に適用することができる。
【０１５１】
このように、本実施例のプロジェクタ装置１は、その信号入力端子制御部（信号入力端子制御装置）４０が、信号が入力される複数の信号入力端子Ｔ１〜Ｔ４と、外部からの有効／無効の設定に応じて、信号入力端子Ｔ１〜Ｔ４毎に信号入力の有効／無効を制御する映像音声制御部（入力信号有効／無効制御手段）３４と、各信号入力端子Ｔ１〜Ｔ４に対する映像音声制御部３４による信号入力の有効／無効に対する外部からの設定を受け付ける有効／無効キー入力部（有効／無効設定受付手段）３２ａと、各信号入力端子Ｔ１〜Ｔ４からの信号入力の有無を判定する映像音声制御部（信号有無判定手段）３４と、有効／無効キー入力部３２ａによる信号入力端子Ｔ１〜Ｔ４毎の外部からの前記設定に対する受付の許否を、該信号入力端子Ｔ１〜Ｔ４に関する前記信号有無判定手段としての映像音声制御部３４の判定結果に基づいて制御する有効／無効設定可否判断部（有効／無効設定受付制御手段）３４ｃと、を備えている。
【０１５２】
したがって、複数の信号入力端子Ｔ１〜Ｔ４からの信号入力の有無に基づいて該信号入力端子Ｔ１〜Ｔ４に対する有効／無効設定の許否を制御することができ、信号入力端子Ｔ１〜Ｔ４の有効／無効を正確に設定することができる。
【０１５３】
また、本実施例のプロジェクタ装置１は、その信号入力端子制御部４０が、信号が入力される複数の信号入力端子Ｔ１〜Ｔ４毎に、外部からの有効／無効の設定に応じて、信号入力の有効／無効を制御する入力信号有効／無効制御処理ステップと、各信号入力端子Ｔ１〜Ｔ４に対する前記入力信号有効／無効制御処理ステップによる信号入力の有効／無効に対する外部からの設定を受け付ける有効／無効設定受付処理ステップと、各信号入力端子Ｔ１〜Ｔ４からの信号入力の有無を判定する信号有無判定処理ステップと、前記有効／無効設定受付処理ステップによる信号入力端子Ｔ１〜Ｔ４毎の外部からの前記設定に対する受付の許否を、該信号入力端子Ｔ１〜Ｔ４に関する前記信号有無判定処理ステップでの判定結果に基づいて制御する有効／無効設定受付制御処理ステップと、を有する信号入力端子制御方法を実行している。
【０１５４】
したがって、複数の信号入力端子Ｔ１〜Ｔ４からの信号入力の有無に基づいて該信号入力端子Ｔ１〜Ｔ４に対する有効／無効設定の許否を制御することができ、信号入力端子Ｔ１〜Ｔ４の有効／無効を正確に設定することができる。
【０１５５】
さらに、本実施例のプロジェクタ装置１は、その信号入力端子制御部４０が、ＣＰＵ２１等の制御プロセッサに、信号が入力される複数の信号入力端子Ｔ１〜Ｔ４毎に、外部からの有効／無効の設定に応じて、信号入力の有効／無効を制御する入力信号有効／無効制御処理と、各信号入力端子Ｔ１〜Ｔ４に対する前記入力信号有効／無効制御処理による信号入力の有効／無効に対する外部からの設定を受け付ける有効／無効設定受付処理と、各信号入力端子Ｔ１〜Ｔ４からの信号入力の有無を判定する信号有無判定処理と、前記有効／無効設定受付処理による信号入力端子Ｔ１〜Ｔ４毎の外部からの前記設定に対する受付の許否を、該信号入力端子Ｔ１〜Ｔ４に関する前記信号有無判定処理での判定結果に基づいて制御する有効／無効設定受付制御処理と、を実行させる信号入力端子制御プログラムを搭載している。
【０１５６】
したがって、複数の信号入力端子Ｔ１〜Ｔ４からの信号入力の有無に基づいて該信号入力端子Ｔ１〜Ｔ４に対する有効／無効設定の許否を制御することができ、信号入力端子Ｔ１〜Ｔ４の有効／無効を正確に設定することができる。
【０１５７】
また、本実施例のプロジェクタ装置１は、信号入力端子制御部４０が、情報を報知出力する操作制御部（報知手段）６を、備え、前記入力信号有効／無効制御手段としての映像音声制御部３４が、信号入力端子Ｔ１〜Ｔ４における信号入力の有効／無効の前記設定に関する情報を、操作制御部６に報知出力させている。
【０１５８】
したがって、信号入力端子Ｔ１〜Ｔ４の有効／無効の設定に関する情報を知ることができるようにすることができ、信号入力端子Ｔ１〜Ｔ４の有効／無効を正確に設定しつつ、利用性を向上させることができる。
【０１５９】
さらに、本実施例のプロジェクタ装置１は、信号入力端子制御部４０が、前記信号有無判定手段としての映像音声制御部３４が信号無しと判定している無信号状態時間を計測する計時部（無信号時間計測手段）３４ａと、有効／無効キー入力部３２ａによる無効設定の受付対象となっている信号入力端子Ｔ１〜Ｔ４に対する計時部３４ａによる前記無信号状態時間の計時時間が所定の閾値時間（無効設定時間）ｔ１になると、前記入力信号有効／無効制御手段としての映像音声制御部３４における該信号入力端子Ｔ１〜Ｔ４に対する信号入力制御を無効に設定する映像音声制御部（自動無効設定手段）３４と、を備えている。
【０１６０】
したがって、無信号状態が閾値時間ｔ１の間継続する信号入力端子Ｔ１〜Ｔ４を、自動的に無効に設定することができ、信号入力端子Ｔ１〜Ｔ４の有効／無効を正確に設定しつつ、利用性を向上させることができる。
【０１６１】
また、本実施例のプロジェクタ装置１は、信号入力端子制御部４０が、前記信号有無判定手段としての映像音声制御部３４が信号有りと判定している有信号状態時間を計時する計時部（有信号時間計時手段）３４ａと、前記有効／無効設定制御手段としての映像音声制御部３４による信号入力制御が無効に設定されている信号入力端子Ｔ１〜Ｔ４に対する該計時部３４ａによる前記有信号状態時間の計時時間が所定の閾値時間（有効設定時間）ｔ２になると、前記入力信号有効／無効制御手段としての映像音声制御部３４における該信号入力端子Ｔ１〜Ｔ４に対する信号入力制御を有効に設定する映像音声制御部（自動有効設定手段）３４と、を備えている。
【０１６２】
したがって、無効に設定されている信号入力端子Ｔ１〜Ｔ４への有信号状態が閾値時間ｔ２の間継続すると、該信号入力端子Ｔ１〜Ｔ４を、自動的に有効に設定することができ、信号入力端子Ｔ１〜Ｔ４の有効／無効を正確に設定しつつ、利用性を向上させることができる。
【０１６３】
さらに、本実施例のプロジェクタ装置１は、信号入力端子制御部４０が、信号入力端子Ｔ１〜Ｔ４へ信号を送り込む外部入力端子の該信号入力端子Ｔ１〜Ｔ４への接続の有無を検出する接続有無検知部（端子接続検出手段）３ａを備え、映像音声制御部３４が、接続有無検知部３ａによる前記外部入力端子の接続有無検出結果と前記信号有無判定手段としての映像音声制御部３４による前記判定結果に基づいて、有効／無効キー入力部３２ａによる信号入力端子Ｔ１〜Ｔ４に対する有効／無効の設定受付の許否を制御している。
【０１６４】
したがって、複数の信号入力端子Ｔ１〜Ｔ４への外部入力端子の接続有無状態と該信号入力端子Ｔ１〜Ｔ４からの信号入力の有無に基づいて該信号入力端子Ｔ１〜Ｔ４に対する有効／無効の設定受付の許否を制御することができ、信号入力端子Ｔ１〜Ｔ４の有効／無効をより一層正確にかつ容易に設定することができる。
【０１６５】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１６６】
１  プロジェクタ装置
２  主制御部
３  映像入力端子部
４  映像音声処理部
５  音声出力ユニット
６  操作制御部
６ａ  キーボード
６ｂ  表示部
７  光学制御部
８  光学ユニット
９  ランプ駆動部
１０  ランプ
Ｔ１、Ｔ２  コンピュータ用端子
Ｔ３  ＨＤＭＩ端子
Ｔ４  ビデオ端子
Ｔ１〜Ｔ４  信号入力端子
ＳＷ１、ＳＷ２、ＳＷ３、ＳＷ４  接続検出スイッチ
２１  ＣＰＵ
２２  ＲＯＭ
２３  ＳＲＡＭ
２４  ＮＶＲＡＭ
３１  ＬＥＤ制御部
３２  入力キー判断部
３２ａ  有効／無効キー入力部
３３  ＯＳＤ処理部
３３ａ  無効表示映像データ形成部
３４  映像音声制御部
３４ａ  計時部  ３４ｂ  カウント部
３４ｃ  有効／無効設定可否判断部
３５  音声出力制御部
ＲＣ  リモコン
【先行技術文献】
【特許文献】
【０１６７】
【特許文献１】特開２００８−３０４６６８号公報
【図１】
2014153585.tif 000003
【図２】
2014153585.tif 000004
【図３】
2014153585.tif 000005
【図４】
2014153585.tif 000006
【図５】
2014153585.tif 000007
【図６】
2014153585.tif 000008
【図７】
2014153585.tif 000009
【図８】
2014153585.tif 000010
【図９】
2014153585.tif 000011
【図１０】
2014153585.tif 000012
【図１１】
2014153585.tif 000013
【図１２】
2014153585.tif 000014
【図１３】
2014153585.tif 000015
【図１４】
2014153585.tif 000016